(57)【要約】      （修正有）【課題】太陽光発電パネルの設置高さを極力低く設定することができるとともに、設置面積の拡大を抑制することのできる太陽光発電パネルの設置装置を提供する。【解決手段】太陽光発電パネル３の設置面Ｂに固定されて、太陽光発電パネルの略平行な両側縁部を支持する複数の基体２と、これらの基体に太陽光発電パネルの各側縁部を止着する止着具とを備え、基体が、太陽光発電パネルの採光面を、太陽光の照射方向へ向けて支持するように形成されている。また基体には、他の基体の一部が嵌合させられる凹部１２が形成され、基体の設置面には、対向させられる部位に、基体の両側面間に至る切り欠き６が形成されている。【選択図】図１
0003209365.tif 000002
【実用新案登録請求の範囲】
【請求項１】
太陽光発電パネルの設置面に固定されて、前記太陽光発電パネルの略平行な両側縁部を支持する複数の基体と、これらの基体に前記太陽光発電パネルの各側縁部を止着する止着具とを備え、前記基体が、前記太陽光発電パネルの採光面を、太陽光の照射方向へ向けて支持するように形成されていることを特徴とする太陽光発電パネルの設置装置。
【請求項２】
前記基体には、前記設置面に当接させられる底面部と、前記太陽光発電パネルが載置される上面部が形成され、この上面部が、前記底面部に対して所定角度傾斜して形成されていることを特徴とする請求項１に記載の太陽光発電パネルの設置装置。
【請求項３】
前記設置面にアンカーボルトが植設され、前記基体に、前記アンカーボルトが挿通される貫通孔が形成されていることを特徴とする請求項１または請求項２に記載の太陽光発電パネルの設置装置。
【請求項４】
前記基体の上部には、支持する前記太陽光発電パネルの側縁部に沿って、所定深さの係止溝が、前記基体の長さ方向全長に亙って形成されているとともに、前記係止溝の底部が幅広に形成され、この係止溝に、前記止着具が係止状態で装着されていることを特徴とする請求項１ないし請求項３の何れかに記載の太陽光発電パネルの設置装置。
【請求項５】
前記止着具が、前記係止溝の幅広部に嵌合させられる頭部と、この頭部に一体に設けられ、前記係止溝の幅狭部を経て前記基体の上方へ突出するねじ部からなる止着ボルトと、前記係止溝に沿って配設され、前記基体に支持された前記太陽光発電パネルの側縁部の上面に当接させられるとともに、前記止着ボルトを介して前記基体に止着される止着プレートとによって構成されていることを特徴とする請求項４に記載の太陽光発電パネルの設置装置。
【請求項６】
前記基体には、他の基体の一部が嵌合させられる凹部が形成されていることを特徴とする請求項１ないし請求項５の何れかに記載の太陽光発電パネルの設置装置。
【請求項７】
前記基体の前記設置面に対向させられる部位に、前記基体の両側面間に至る切り欠きが形成されていることを特徴とする請求項１ないし請求項６の何れかに記載の太陽光発電パネルの設置装置。
【考案の詳細な説明】
【技術分野】
【０００１】
本考案は、太陽光発電パネルの設置装置に係わり、特に、太陽光発電パネルの設置密度を高めるようにした太陽光発電パネルの設置装置に関するものである。
【背景技術】
【０００２】
太陽光発電システムにあっては、多数の太陽光発電パネルを、太陽光の照射方向に向けてほぼ平面状に設置している。
【０００３】
そして、太陽光発電システムでは、たとえば、特許文献１に示されるように、太陽光発電システムの設置面にコンクリート等によって基礎を形成し、この基礎に多数の支持脚を立設し、さらに、この支持脚間に取り付け枠を装着し、この取り付け枠上に前記多数の太陽光発電パネルを組み付けることによって構築されている。
【先行技術文献】
【特許文献】
【０００４】
【特許文献１】実用新案登録第３１９４２７７号公報
【考案の概要】
【考案が解決しようとする課題】
【０００５】
ところで、一般に太陽光発電システムにあっては、採光を確保するために、前記太陽光発電パネルを、その採光面が太陽光の照射方向に向くように傾斜させて設置しなければならない。
【０００６】
ここで、多数の前記太陽光発電パネルを単一面に設置した状態で前述した傾斜を設けると、傾斜の上部に位置させられる前記太陽光発電パネルの高さが高くなる。
【０００７】
これに伴い、太陽光発電システム周辺への太陽光の照射が阻害されてしまうことが想定されるばかりでなく、前記太陽光発電パネルを支持する支持脚が長くなり、かつ、設置作業も高所作業となることから、施工性の悪化が懸念される。
【０００８】
このような不具合を解消するために、前記多数の太陽光発電パネルを、前記傾斜方向に沿って複数ブロックに分割して設置することにより、各ブロック毎の高さを抑えることが実施されている。
【０００９】
しかしながら、このような対処方法でも、なお、つぎのような改善すべき問題点が残されている。
【００１０】
すなわち、多数の前記太陽光発電パネルを複数のブロックに分割して設置した場合、太陽光の照射方向後方に設置されるブロックの前記太陽光発電パネルに照射される太陽光が、前方に設置されるブロックの太陽光発電パネルによって遮られることがあり、これを避けるために、各ブロック間に間隔を設ける必要が生じる。
【００１１】
そして、各ブロックを間隔をおいて設置すると、この間隔の分、設置面積が増加してしまうといった問題点が生じる。
【００１２】
本考案は、前述した従来の技術において残されている問題点に鑑みてなされたもので、太陽光発電パネルの設置高さを極力低く設定することができるとともに、設置面積の拡大を抑制することのできる太陽光発電パネルの設置装置を提供することを解決すべき課題とする。
【課題を解決するための手段】
【００１３】
本考案にかかる太陽光発電パネルの設置装置は、前述した課題を解決するために、太陽光発電パネルの設置面に固定されて、前記太陽光発電パネルの略平行な両側縁部を支持する複数の基体と、これらの基体に前記太陽光発電パネルの各側縁部を止着する止着具とを備え、前記基体が、前記太陽光発電パネルの採光面を、太陽光の照射方向へ向けて支持するように形成されていることを特徴としている。
【００１４】
以降、前記太陽光が照射される方向を南とし、前記太陽光発電パネルの両側縁部を結ぶ方向を東西とし、前記側縁部に沿う方向を南北とする。
【００１５】
本考案の太陽光発電パネルの設置装置では、前記基体を、東西に、前記太陽光発電パネルの両側縁部間の幅と同一ピッチにて、あるいは異なるピッチにて多数設置するとともに、これらの基体を前記設置面に固定する。
【００１６】
ついで、これらの基体上に前記太陽光発電パネルの各側縁部を載置するとともに、この各側縁部を、前記止着具によって前記各基体に止着することにより、多数の前記太陽光発電パネルを、その採光面を太陽光の照射方向へ向けた状態で東西に一列に設置する。
【００１７】
これより、前記多数の既設の基体のそれぞれに対して、南側もしくは北側に連続するように新たな基体を設置するとともに、これらの新たな基体を前記設置面に固定する。
【００１８】
ついで、前述したように既設の基体に対して北側に、設置された新たな基体間のそれぞれに、前記太陽光発電パネルを前記止着具によって止着する。
【００１９】
このような設置作業を順次繰り返し行なうことにより、前記太陽光発電パネルが、東西南北に碁盤目状に設置される。
【００２０】
このように設置された前記太陽光発電パネルは、太陽光の照射方向へ向けられて支持されることから、その支持面が、南側の端縁が低く北側の端縁が高くなるように傾斜させられている。
【００２１】
ここで、東西に設置された複数の前記太陽光発電パネルは、略同一の支持面に設置され、この支持面が南北方向に多数形成され、北側の支持面の低い部分が、南側の支持面の高い部分に近接して位置させられる。
【００２２】
すなわち、各支持面を東西方向から見た場合、これらの支持面が鋸刃状に配置される。
【００２３】
ここで、前記基体は、前記太陽光発電パネルの両側縁部を支持するだけであるから、その形状が小さくてすむ。
【００２４】
一方、前記支持面の南北方向の長さは、ほぼ前記太陽光発電パネルの一枚分の寸法であり、したがって、前記支持面の最大高さである北側の高さ、すなわち、前記基体の高さが低く抑えられる。
【００２５】
したがって、前記支持面は、前記基体が固定される前記設置面にほぼ沿うように形成され、前記支持面上の前記太陽光発電パネルも、前記設置面に沿うようにして設置される。
【００２６】
このように、前記太陽光発電パネルを支持する基体の形状が小さく抑えられ、かつ、その高さも低く抑えられていることにより、設置装置のコストが大幅に抑制されるとともに、設置作業が低い位置での作業となり、その施工性が高められる。
【００２７】
また、前記支持面の高さ、すなわち、前記太陽光発電パネルの高さが低く抑えられることによって、これらによってその北側に形成される影の領域が狭められる。
この結果、南北に設置される前記太陽光発電パネル間の間隔を狭めることができるので、前記太陽光発電パネルの、決められた設置面積に対する設置密度が高められる。
【００２８】
前記基体を、前記設置面に当接させられる底面部と、前記太陽光発電パネルが載置される上面部が形成された構成とし、かつ、前記上面部を、前記底面部に対して所定角度傾斜させた形状とすることにより、前記上面部に前記太陽光発電パネルを載せるといった簡便な作業により、前記太陽光発電パネルを、その採光面を太陽光の照射方向に向けた状態で容易に設置することができる。
【００２９】
また、前記設置面にアンカーボルトを植設しておくとともに、前記基体に、前記アンカーボルトが挿通される貫通孔を形成しておくことにより、前記基体を前記アンカーボルトによって容易に固定することができる。
【００３０】
また、前記基体の上部に、支持する前記太陽光発電パネルの側縁部に沿って、所定深さの係止溝を、前記基体の長さ方向全長に亙って形成するとともに、前記係止溝の底部を幅広に形成し、この係止溝に、前記止着具を係止状態で装着した構成とすることができる。
【００３１】
このような構成とすることにより、前記止着具を前記係止溝に沿って移動可能として、前記止着具による前記太陽光発電パネルの止着位置を調整することができる。
これによって、形状の異なる太陽光発電パネルの設置に容易に対応することができる。
【００３２】
そして、前記止着具を、前記係止溝の幅広部に嵌合させられる頭部と、この頭部に一体に設けられ、前記係止溝の幅狭部を経て前記基体の上方へ突出するねじ部からなる止着ボルトと、前記係止溝に沿って配設され、前記基体に支持された前記太陽光発電パネルの側縁部の上面に当接させられるとともに、前記止着ボルトを介して前記基体に止着される止着プレートとによって構成することもできる。
【００３３】
このような構成とすることにより、止着具の構成部材としての止着ボルトに既存のボルトを用いてコストを低減することができるとともに、この止着ボルトと前記基体の前記係止溝との係合構造を容易に構成することができる。
【００３４】
また、前記太陽光発電パネルを止着プレートによって前記基体に止着することにより、その止着構造に前記太陽光発電パネルの構造が影響することを抑制することができ、汎用性を高めることができる。
【００３５】
さらに、前記基体に、他の基体の一部が嵌合させられる凹部を形成しておくことができる。
これによって、連続して設置される前記基体間を、相互の嵌合によって連結し、前記基体の不要な動きを拘束することができる。
【００３６】
また、前記基体の前記設置面に対向させられる部位に、前記基体の両側面間に至る切り欠きを形成しておくこともできる。
【００３７】
このような切り欠きにより、前記基体を前記設置面に固定した際に、前記基体によって取り囲まれる領域を相互に連通させることができる。
これによって、通気性をよくして前記太陽光発電パネルの温度上昇を抑制し、あるいは、電線等の取り回しを容易にする。
【考案の効果】
【００３８】
本考案の太陽光発電パネルの設置装置によれば、太陽光発電パネルの設置高さを極力低く設定することができるとともに、設置面積の拡大を抑制することができる。
【図面の簡単な説明】
【００３９】
【図１】本考案の一実施形態を示す側面図である。
【図２】本考案の一実施形態を示すもので、拡大側面図である。
【図３】本考案の一実施形態を示すもので、基体の平面である。
【図４】本考案の一実施形態を示すもので、基体の正面図である。
【図５】本考案の一実施形態を示すもので、基体の側面図である。
【図６】本考案の一実施形態を示すもので、機体の側面図である。
【図７】本考案の一実施形態を示すもので、図３のＶＩＩ−ＶＩＩ線断面図である。
【図８】本考案の一実施形態を示すもので、図３のＶＩＩＩ−ＶＩＩＩ線断面図である。
【図９】本考案の一実施形態を示す要部の拡大縦断面図である。
【図１０】本考案の一実施形態を示す要部の拡大縦断面図である。
【図１１】本考案の一実施形態を示すもので、設置面の平面図である。
【図１２】本考案の一実施形態を示す要部の拡大縦断面図である。
【図１３】本考案の一実施形態を示すもので、設置状態を示す要部の拡大平面図である。
【考案を実施するための形態】
【００４０】
以下、本考案の一実施形態について図面を参照して説明する。
図１において、符号１は、本実施形態にかかわる太陽光発電パネルの設置装置（以下、設置装置と略称する）を示す。
【００４１】
この設置装置１は、設置装置１が敷設される設置面Ｂ上に複数の基体２を固定し、これらの基体２間のそれぞれに太陽光発電パネル３を止着して構成されている。
【００４２】
前記設置面Ｂは、メッシュ筋等によって補強されたコンクリートによって構成されたべた基礎によって形成されている。
【００４３】
前記基体２は、図２ないし図６に示すように、合成樹脂あるいはコンクリートによって略直方体状のブロックに形成されており、その下面が水平な底面部２ａとなされ、上面が、図２に詳述するように、前記底面部２ａに対して所定角度、たとえば、挟み角θで５°前後に傾斜させられた上面部２ｂとなされている。
以降、前記基体２の、前記上面部２ｂの高い側の端部を後部とし、低い側の端部を前部と称す）。
【００４４】
また、前記基体２には、その上面部２ｂに開口する係止溝４が、前記基体２の長さ方向全長に亙って形成され、この係止溝４の底部に、前記基体２の幅方向に拡大された幅広部４ａが形成されている。
【００４５】
さらに、前記基体２の、前記係止溝４の側部には、前記基体２の上下に貫通する貫通孔５が、前記基体２長さ方向に間隔をおいた２箇所に形成されている。
【００４６】
一方、前記基体２の底面部２ａには、その後部近傍に、下方へ向かって開口し、かつ、前記基体２の両側部に開口する切り欠き６が形成され、さらに、前部近傍の両側部には、前記基体２のそれぞれの側面側および下面側に開口する凹部７が形成されている。
【００４７】
また、前記基体２の後部下面には、他の基体２の前部が嵌合させられる凹部１２が形成されている。
【００４８】
前記太陽光発電パネル３は、図９および図１０に詳述するように、その側縁部が前記基体２の上面部２ｂに、前記係止溝４に沿い、かつ、この係止溝４との間に所定間隔を置くようにして載置されるとともに、前記基体２の前記係止溝４に装着される止着具８によって、前記基体２に止着される。
【００４９】
前記止着具８は、本実施形態においては、前記係止溝４に係合状態で装着される止着ボルト９と、この止着ボルト９に螺着される止着ナット１０と、これらの止着ボルトおよび止着ナット１０によって前記基体２に固定されるとともに、前記太陽光パネル３を押圧固定する止着プレート１１とによって構成されている。
【００５０】
前記止着ボルト９は、前記係止溝４内に、前記基体２の端部から挿入されて装着されるもので、装着された状態において、その頭部が、前記係止溝４の幅広部４ａに位置させられ、かつ、その軸部が前記係止溝４の幅狭の部分を通って前記基体２の上方へ突出させられるようになっている。
【００５１】
したがって、前記止着ボルト９は、前記基体２に対し、その長さ方向への移動が許容され、かつ、上方への離脱が阻止された状態で装着される。
【００５２】
前記止着プレート１１は２種類設けられており、その一つは、前記太陽光パネル３の一側縁部のみを押圧するような形状となされ、他の一つは、隣接して配置される２つの前記太陽光パネル３の隣り合う側縁部を同時に押圧する形状となされている。
【００５３】
すなわち、前述した一つの止着プレート１１は、前記基体２の上面部に当接させられると共に、前記止着ボルト９および前記止着ボルト８ｂによって前記基体２の上面部２ａに圧着固定される固定部１１ａと、この固定部１１ａの一側面から上方へ立ち上げられた脚部１１ｂと、この脚部１１ｂの上端部に、前記固定部１１ａと反対側へ向けて連設された押さえ部１１ｃが形成されている。
【００５４】
前記押さえ部１１ｃの下面と前記固定部１１ａの下面との距離が、前記太陽光発電パネル３を挟み込むような寸法に設定されている。
【００５５】
また、他の一つの止着プレート１１は、前記固定部１１ａの両側部に、前記脚部１１ｂおよび前記押さえ部１１ｃが形成されている。
【００５６】
そして、前記固定部１１ａには、前記止着プレート１１の長さ方向に間隔を置いて複数の貫通孔が形成されて、それぞれの貫通孔に、前記止着ボルト９が挿通させられるようになっている。
【００５７】
前記基体２は、前記設置面Ｂ上に、太陽光が照射される方向を南とし、前記太陽光発電パネル３の両側縁部を結ぶ方向を東西とし、前記側縁部に沿う方向を南北とすると、その長さ方向を南北に沿わせ、かつ、その後部を北側にして配置される。
【００５８】
また、多数の前記太陽光パネル３を設置するために、前記基体２の多数が、東西方向に前記太陽光パネル３の両側部間の距離を１ピッチとして平行に１列配置され、さらに、この列の北側に、他の列の前記基体２が連続するように配置される。
【００５９】
このように配置される前記基体２は、図２に詳述するように、南側に位置する前記基体２の後部に形成された凹部１２内に、北側に位置する前記基体２の前部が入り込むようにして位置させられる。
【００６０】
また、配置された多数の前記基体２には、この基体２のそれぞれに形成された前記貫通孔５に、図１２に示すように、アンカーボルト１３が挿通させられるようになっている。
【００６１】
一方、前記設置面Ｂには、前述したように設置される多数の基体２に形成されている前記貫通孔５と同軸となるように、図１１に示すように、ナット１４が植設されており、これらのナット１４に、前記アンカーボルト１３が螺着されることによって、前記各基体２が前記設置面Ｂに固定されるようになっている。
【００６２】
このように配置される前記基体２上に前記太陽光発電パネル３を載置して固定することにより、この太陽光発電パネル３の設置が行なわれる。
【００６３】
すなわち、前記太陽光発電パネル３を、東西方向に配置された前記基体２間に載置し、この基体２の両側縁部に前記止着プレート１１の押さえ部１１ｃを当接させ、さらに、この止着プレート１１の固定部１１ａに形成されている貫通孔に、前記基体２の係止溝４に装着されている止着ボルト９を挿通させるとともに、この止着ボルト９に前記止着ナット１０を螺着して、前記止着プレート１１を前記基体２に固定する。
【００６４】
これによって、前記太陽光発電パネル３が、前記止着プレート１１の押さえ部１１ｃと前記基体２の上面部２ｂとの間に挟持固定される。
【００６５】
このような操作を前記多数の基体２間において行なうことにより、多数の前記太陽光発電パネル３の設置を行なうことができる。
【００６６】
また、設置された多数の前記太陽光発電パネル３は、前記設置面Ｂ上に、碁盤目状に設置される。
【００６７】
そして、前記各太陽光発電パネル３は、前記設置面Ｂに対して同一の姿勢で設置される。
したがって、各太陽光発電パネル３の最も高い部分の位置が一定に保持されるとともに、その高さが、前記基体２の最も高い後部の高さにほぼ等しく、低く抑えられる。
【００６８】
このように、前記太陽光発電パネル３や前記基体２の北側の高さが抑えられると、前記基体２の北側に形成される、太陽光を遮蔽してしまう領域が小さく抑えられる。
図２に示すように、前記基体２の北側の端縁を通る太陽光線をＳで示すと、この太陽光線Ｓを受けるために必要な距離Ｗが短くてすむ。
【００６９】
このように太陽光の遮蔽領域が狭くなる分、南北に配置される前記太陽光発電パネル３間の間隔を狭くしても、北側に配置される前記太陽光発電パネル３の採光面積を確保することができる。
【００７０】
したがって、前記太陽光発電パネル３の設置密度を高めることができ、設置面積あたりの発電量を高めることができる。
【００７１】
一方、前記基体２の底面部２ａには、前述したように、この基体２の両側部を連通させるように前記切り欠き６が形成されている。
【００７２】
この切り欠き６の存在により、前述したように多数設置される前記基体２間の空間が東西方向に連通させられることとなる。
【００７３】
これによって、前記太陽光発電パネル３の下部空間が相互に連通させられて、この空間の通風性が確保されるので、前記太陽光発電パネル３の温度上昇を抑制する効果が得られ、この結果、前記太陽光発電パネル３の発電効率の低下を抑制することができる。
【００７４】
前記切り欠き６は、電線等の引き回し空間として利用することもできるので、本実施形態の設置装置１の施工性を向上させることができる。
【００７５】
また、前記切り欠き６に加え、前記基体２の前部近傍両側部に、前記凹部７を形成したことにより、これらの凹部７を、前記基体２の設置時の把持部として用いることができる。
これによって、前記基体２の搬送や取り回しが容易となる。
【００７６】
また、前述したように、前記太陽光発電パネル３の設置高さが低く抑えられて、その設置作業が低所での作業となることから、作業の安全性が高められる。
【００７７】
なお、前記実施形態において示した各構成部材の諸形状や寸法等は一例であって、設計要求等に基づき種々変更可能である。
【符号の説明】
【００７８】
１  (太陽光発電パネルの）設置装置
２  基体
２ａ  底面部
２ｂ  上面部
３  太陽光発電パネル
４  係止溝
４ａ  幅広部
５  貫通孔
６  切り欠き
７  凹部
８  止着具
９  止着ボルト
１０  止着ナット
１１  止着プレート
１１ａ  固定部
１１ｂ  脚部
１１ｃ  押さえ部
１２  凹部
１３  アンカーボルト
１４  ナット
Ｂ  設置面
【図１】
0003209365.tif 000003
【図２】
0003209365.tif 000004
【図３】
0003209365.tif 000005
【図４】
0003209365.tif 000006
【図５】
0003209365.tif 000007
【図６】
0003209365.tif 000008
【図７】
0003209365.tif 000009
【図８】
0003209365.tif 000010
【図９】
0003209365.tif 000011
【図１０】
0003209365.tif 000012
【図１１】
0003209365.tif 000013
【図１２】
0003209365.tif 000014
【図１３】
0003209365.tif 000015